(57)【要約】【課題】棹縁の寸法に応じて天井板との間隔を調節でき、回動方向の力が加わっても常に安定した取付状態が保持される構造を備えた、照明器具とは別体の棹縁天井用シーリングアダプタを提供する。【解決手段】本発明の棹縁天井用シーリングアダプタ１は、薄板状の取付基盤２の略中央に引掛型配線器具Ｈを挿通させうる大きさの孔部２１が形成され、上記取付基盤２の周縁近傍に、上方に突出する棹縁掛止部５が、上記孔部２１の中心を挟んで対向するように設けられるとともに、上記取付基盤２の周縁近傍に、上方に突出する高さ調節可能なアジャスタ３が、上記棹縁掛止部５の配置方向を挟んで略対称となるように取り付けられたものである。【選択図】図２
2004335219.tif 000002
【特許請求の範囲】
【請求項１】
剛体からなる薄板状の取付基盤の略中央に引掛型配線器具を挿通させうる大きさの孔部が形成され、
上記取付基盤の周縁近傍に、上方に突出する少なくとも一箇所の棹縁掛止部が設けられるとともに、
上記取付基盤の周縁近傍に、上方に突出する少なくとも一対の高さ調節可能なアジャスタが、上記棹縁掛止部と上記孔部の中心を結ぶ直線を挟んで略対称となるように取り付けられたことを特徴とする棹縁天井用シーリングアダプタ。
【請求項２】
棹縁掛止部は、孔部の中心を挟んで対向する二箇所の位置に設けられたことを特徴とする請求項１に記載の棹縁天井用シーリングアダプタ。
【請求項３】
少なくとも一箇所の棹縁掛止部は、所定間隔を隔てて相対する二個の掛止片からなることを特徴とする請求項１又は２に記載の棹縁天井用シーリングアダプタ。
【請求項４】
アジャスタは、芯部と周部とからなる二重構造を有し、取付基盤に固着された支持ボルトに上記芯部が螺合されることにより支持ボルトの軸方向へ移動自在に保持されるとともに、上記移動が拘束された状態で周部に一定以上の回転トルクが加わると、周部と芯部とが互いに空転しうるように形成されたことを特徴とする請求項１、２又は３に記載の棹縁天井用シーリングアダプタ。
【請求項５】
アジャスタは、芯部と周部とからなる二重構造を有し、上記芯部に固着した支持ボルトが取付基盤に形成した雌ねじ孔に螺合されることにより支持ボルトの軸方向へ移動自在に保持されるとともに、上記移動が拘束された状態で周部に一定以上の回転トルクが加わると、周部と芯部とが互いに空転しうるように形成されたことを特徴とする請求項１、２又は３に記載の棹縁天井用シーリングアダプタ。
【発明の詳細な説明】
【０００１】
【発明の属する技術分野】
本発明は、天井直付け型の照明器具（シーリングライト）を、例えば和室の棹縁（さおぶち）天井等に取り付ける際、照明器具を安定させるためのシーリングアダプタに関する。
【０００２】
【従来の技術】
住宅等における和室の天井は、断面２〜３センチ角の細い棒状材（棹縁）を一定間隔で平行に配し、その上に天井板を棹縁と直交させて貼設した、いわゆる棹縁天井とされることが多い。このような棹縁天井では、棹縁の下面に角形引掛シーリング等の引掛型配線器具を取り付け、この引掛型配線器具に照明器具を結合するのが一般的である。したがって、ペンダントのような吊下型の照明器具であれば特に問題はないが、天井に接して取り付けるシーリングライトの場合は、照明器具本体の上面が棹縁の下面にのみ接し、それ以外の部分では天井板との間に、棹縁の高さに相当する隙間が生じてしまうことになる。
【０００３】
照明器具の上面と天井板との間に隙間ができると、照明器具の取付状態が不安定になり、スイッチ紐の引下げ操作時やランプの交換時など、照明器具本体に外力が加わったときに揺れやぐらつきが生じる。そこで、このような棹縁天井に照明器具を安定させて取り付ける技術が、特許文献１〜４等に提案されている。
【０００４】
図４は、特許文献１に記載された技術を示す。この技術は、棹縁Ｓに取り付ける照明器具本体９１の隅部に高さ調節可能な複数個のアジャスタ９２を設けたもので、照明器具本体９１に螺合された各アジャスタ９２を上下方向に進退させ、その先端を天井板Ｔに当接させて照明器具本体９１を安定させるようになっている。
【０００５】
図５は、特許文献２に記載された技術を示す。この技術は、照明器具本体９３の上面に、棹縁Ｓの幅・高さよりも幅広かつ深い溝部９４を形成し、棹縁Ｓをこの溝部９４内に納めた状態で照明器具本体９３を天井板に当接させるようにしたものである。
【０００６】
図６は、特許文献３に記載された技術を示す。この技術は、照明器具本体９５の上面周縁部に、棹縁Ｓを避けるように略全周にわたって弾性体からなるスペーサ９６を接着したもので、このスペーサ９６を天井板Ｔに密着させることにより照明器具本体９５の安定を図るようになっている。図中の符号Ｈは引掛型配線器具である。
【０００７】
また、特許文献４には、特許文献１記載のアジャスタ９２と同様にして照明器具本体の上面周縁部に複数個のスペーサを取り付ける構成に関し、当該スペーサを剛体からなる第一の半体及び第二の半体を組み合わせて外形略筒状に形成し、両半体の位置関係を変えることによりスペーサの高さを段階的に調節可能にした技術が記載されている。
【０００８】
【特許文献１】
実公昭５９−２３３０７号公報
【特許文献２】
実開昭６１−４２７２２号公報
【特許文献３】
特開平１０−２８３８２８号公報  （第３頁、図１−２）
【特許文献４】
特開２００２−２２２６０８号公報
【０００９】
【発明が解決しようとする課題】
シーリングライト型の照明器具には、平面形状が丸形のものと角形のものとがあるが、丸形のものでは、セードを照明器具本体に対し水平方向に回して掛着する構造を採用したものが多い。このような構造の照明器具では、ランプ交換等に際してセードを着脱するとき、セードを本来の着脱方向とは逆向きに回してしまう可能性がある。すると、これに伴って照明器具本体にも無理な回転力が作用して、照明器具本体が共回りしてしまう。これを防ぐには、照明器具本体を天井の複数ヶ所にビス固定する必要があるが、美観上あるいは建物管理上の問題から、天井にはビス穴を開けられない場合もある。
【００１０】
照明器具本体がセードと一緒に共回りするような構造の場合、上記特許文献１に記載のアジャスタや特許文献４に記載のスペーサは、照明器具本体に取り付けられているため、照明器具本体の共回りとともにその位置が移動してしまう。このようなスペーサやアジャスタは、本来、棹縁を挟んで対称となる位置に、棹縁からできるだけ距離を隔てて配置されることが好ましく、その配置が棹縁を挟んで非対称となったり棹縁に接近したりすると、照明器具に揺れやぐらつきを与える外力に対して安定性が低下することになる。
【００１１】
一方、上記特許文献２記載の技術では、溝部内に棹縁が納まることから、照明器具本体の回転が溝部の幅の範囲内に拘束され、上述のような不安定化が生じないという利点がある。しかし、溝部の幅や深さが不変なので、溝部に対して棹縁の断面寸法が小さい場合には、照明器具本体が棹縁の下面から離れた状態で取り付けられることになり、反対に溝部に対して棹縁の断面寸法が大きい場合には、照明器具本体の上面が天井面に密着しないことになる。
【００１２】
同様に、上記特許文献３記載のスペーサも、高さ調節機能を具備しないので、上記特許文献２記載の溝部と同様の問題が生じる。これを解決するには、棹縁の断面寸法に応じて複数種類の高さのスペーサを用意し、その中から適当なものをユーザが選択するようにしなければならず、きわめて不便である。
【００１３】
また、上記各特許文献に記載の技術は、いずれも照明器具本体に予め備えられるか、照明器具本体に対して後付け的に接着ないし固着されるものであるため、多種多様な照明器具の全てにこのような手段を準備するのは非効率であるとともに、照明器具を交換する際には、新しい照明器具のための新しいアジャスタやスペーサ等が改めて必要になるという無駄が生じる。
【００１４】
そこで本発明は、照明器具とは別体の部品として、照明器具の種類を問わずに共用し得る汎用タイプの棹縁天井用シーリングアダプタを提供するものとし、このシーリングアダプタにおいては、棹縁の断面寸法に応じて天井面との間隔を適切に調節しうる機能を具備するとともに、照明器具本体に回転力が加わっても、常に安定した取付状態が保持される構造を実現することを解決課題とする。
【００１５】
なお、本発明のシーリングアダプタは「棹縁天井用」と称しているが、使用部位が和室の棹縁天井だけに限定されるものではなく、例えば棹縁状の突起部が形成された洋室の天井等においても使用可能なものである。
【００１６】
【課題を解決するための手段】
前記課題を解決するため、本発明の棹縁天井用シーリングアダプタは、剛体からなる薄板状の取付基盤の略中央に引掛型配線器具を挿通させうる大きさの孔部が形成され、上記取付基盤の周縁近傍に、上方に突出する少なくとも一箇所の棹縁掛止部が設けられるとともに、上記取付基盤の周縁近傍に、上方に突出する少なくとも一対の高さ調節可能なアジャスタが、上記棹縁掛止部と上記孔部の中心を結ぶ直線を挟んで略対称となるように取り付けられたことを特徴とする。
【００１７】
この発明は、照明器具本体と天井との間に取付基盤を介在させ、取付基盤の略中央に形成した孔部を通じて、棹縁に取り付けた引掛型配線器具に照明器具本体側の接続器を結合しうるようにしたものである。取付基盤に設けた棹縁掛止部は、棹縁の側面に掛止して取付基盤の共回りを防止する。したがって、照明器具本体に加わる回転力が取付基盤にまで作用しても、取付基盤の向きは一定に保持され、したがってアジャスタの位置も適正に保持される。
【００１８】
取付状態をさらに安定させるため、棹縁掛止部は、孔部の中心を挟んで対向する二箇所の位置に設けられてもよい。また、各棹縁掛止部は、棹縁の側面に当接しうる一個ずつの掛止片として設けられてもよいが、少なくともいずれか一箇所の棹縁掛止部は、棹縁の幅に相当する所定間隔を隔てて相対させた二個の掛止片としてもよい。この場合は、二個の掛止片が棹縁の両側面に掛止するので、両方向への共回りが防止される。
【００１９】
アジャスタは、棹縁の断面寸法に応じて突出高さを調節可能となされているので、棹縁の断面寸法にばらつきがあっても、その先端を天井板に適正に当接させることができる。また、アジャスタは、棹縁掛止部と孔部の中心を結ぶ直線、つまり棹縁自体の軸方向を挟んで略対称となる位置に取り付けられるので、揺れやぐらつきに対して好ましい安定性が得られる。アジャスタを、取付基盤の孔部の中心を挟んで対向し、かつ棹縁と直交するように配置すれば、アジャスタの個数は最小限の２個で済み、かつ好適な安定性が得られるが、アジャスタの個数をさらに増やして、それぞれをバランスよく配置してもよい。
【００２０】
アジャスタは、芯部と周部とからなる二重構造となされ、取付基盤に固着された支持ボルトに上記芯部が螺合されるか、あるいは上記芯部に固着した支持ボルトが取付基盤に形成した雌ねじ孔に螺合されることにより、支持ボルトの軸方向へ移動自在に保持される。
【００２１】
そして、上記移動が拘束された状態で周部に一定以上の回転トルクが加わると、周部と芯部とが互いに空転しうるように形成することができる。この構造は、いわゆるトルクリミッタを構成するもので、例えば金属製の六角ナット等に嵌装した合成ゴムその他の弾性体からなる筒体を芯部とし、この芯部に嵌装した合成樹脂性の筒体を周部とするなどによって構成することができる。
【００２２】
これによれば、高さ調節に際してアジャスタを伸長させすぎた場合でも、天井板に当接したところで周部と芯部とが空転するので、アジャスタを必要以上に伸長させすぎて天井板を損傷するといった事故を防ぐことができる。
【００２３】
【発明の実施の形態】
以下、本発明の実施の形態について、図面を参照しつつ説明する。
【００２４】
図１は本発明の実施の形態に係る棹縁天井用シーリングアダプタの全体構成を示し、図２は図１の棹縁天井用シーリングアダプタを使用して棹縁天井にシーリングライト型の照明器具を取り付けた状態を示す。
【００２５】
例示の棹縁天井用シーリングアダプタ１は、照明器具Ｌと棹縁天井との間に設置されるもので、丸形の照明器具Ｌに合わせて平面視略円形に形成された金属製の薄板からなる取付基盤２と、この取付基盤２に取り付けられた二個のアジャスタ３とを備えている。ただし、角形の照明器具に合わせて、取付基盤２の平面形状を矩形にすることも可能である。
【００２６】
取付基盤２の中央には、円形の孔部２１が形成されている。この孔部２１の大きさは、天井の棹縁Ｓに取り付けられた引掛型配線器具Ｈを挿通させうる寸法となされている。例示の形態では、孔部２１付近が取付基盤２の周縁近傍よりも下方に延出して、その最下部が引掛型配線器具Ｈの下面と略同一の高さとなるように形成されている。ただし、この断面形状は、照明器具本体Ｌａの上面形状との取り合いを考慮して適宜設計される要素である。よって、本発明においては、取付基盤２の少なくとも周縁近傍が棹縁Ｓの下面に当接するように形成されている限り、孔部２１付近の断面形状は特に限定しない。
【００２７】
照明器具本体Ｌａは、その中央部に設けられた接続器Ｌｂの栓刃を、孔部２１内から露出した引掛型配線器具Ｈに掛着することによって、引掛型配線器具Ｈと結合される。取付基盤２の周縁部の下面には、全周にわたってスポンジパッキン４が貼着されており、このスポンジパッキン４が、取付基盤２と照明器具本体Ｌａとを、適当な摩擦力及び緩衝性をもって密着させる。
【００２８】
取付基盤２の周縁上面には、孔部２１の中心を挟んで対向するように、上方に突出する棹縁掛止部５が設けられている。例示の形態に係る各棹縁掛止部５は、標準的な棹縁Ｓの幅よりもやや広い間隔で相対する二個の掛止片５１によって構成されている。各掛止片５１は、取付基盤２の一部を切り起こして形成されており、その突出高さは、標準的な棹縁Ｓの高さよりも小さい寸法となされている。取付基盤２は、この棹縁掛止部５に棹縁Ｓを挟み込んだ状態で、棹縁Ｓの下面に当てがわれる。これにより、取付基盤２がその中心を棹縁Ｓに略一致させて位置決めされるとともに、棹縁Ｓと棹縁掛止部５との引っ掛かりによって水平方向の回転が拘束されることとなる。
【００２９】
アジャスタ３は、棹縁掛止部５の配置方向と直交し、取付基盤２の孔部２１の中心を挟んで対向するように配置されている。各アジャスタ３は、例えば図３に示すように、金属製のフランジ付き六角ナット３１と、この六角ナット３１に嵌装された合成ゴム製の内筒体３２と、筒体３２に嵌装された合成樹脂製の外筒体３３とによって構成され、六角ナット３１が、取付基盤２に固着された支持ボルト２２に螺合されている。六角ナット３１のフランジは、内筒体３２から六角ナット３１が抜け出すのを防いでいる。
【００３０】
この形態では、六角ナット３１と内筒体３２とが芯部を構成し、外筒体３３が周部を構成する。外筒体３３の内周面には複数個の突起３４が形成されて、この突起３４が内筒体３２の外周面に引っ掛かることにより、内筒体３２と外筒体３３との間にも適当な摩擦力が生じるようになっている。したがって、指先で外筒体３３を回すと、外筒体３３、内筒体３２及び六角ナット３１が一体になって支持ボルト２２の軸方向に昇降移動し、取付基盤２と天井板Ｔとの間隔に合わせて無段階に高さを調節することができる。しかし、内筒体３２の頂面が天井板Ｔに当接したところでさらに外筒体３３を回すと、外筒体３３が内筒体３２に対して空転し、それ以上、内筒体３２が上昇しないようになっている。このようなトルクリミッタ機能を設けることにより、アジャスタ３を伸長させすぎて天井板Ｔに必要以上の圧力を加えることを防ぎ、天井板Ｔを損傷から保護することができる。
【００３１】
例示の形態では、２個のアジャスタ３が、棹縁Ｓを挟んで対称となり、かつ棹縁Ｓから最も離れた位置に配置されているので、照明器具本体Ｌａに揺れやぐらつきを与える外力に対し、最小限のアジャスタ３の個数で好適な安定性を得ることができる。しかも、棹縁Ｓの側面に棹縁掛止部５が引っ掛かって取付基盤２の回転が拘束されるので、照明器具本体Ｌａに回転力が作用しても、アジャスタ３の位置が適正に保持される。コストが許せば、アジャスタ３の個数を増やして、棹縁Ｓの両側にそれぞれ２〜３個ずつ対称に配置することも可能である。ただし、アジャスタ３の個数が必要以上に増えると、高さ調節の手間も増えるのであまり実用的ではない。
【００３２】
なお、本発明の他の実施の形態としては、以下のような構成も可能である。
【００３３】
棹縁掛止部５については、例示のような対向配置でなく、アジャスタ３の配置方向と直行するようにして一箇所だけに設けられてもよい。また、棹縁掛止部５の形状についても、各一個ずつの掛止片となされてもよい。この場合、各掛止片は、孔部２１の中心を通る中心線（アジャスタ３の配置方向と直行する線）から棹縁Ｓの幅の略１／２だけ側方に偏倚して配置される。
【００３４】
また、アジャスタ３については、例えば中心部に雌ねじ孔を貫通形成した合成樹脂製の筒体を芯部とし、その外側に嵌装した金属製の筒体を周部とするなどの形態によっても、トルクリミッタ機能を備えた二重構造を構成することが可能であり、芯部及び周部の材質や形態も特に限定されるものではない。
【００３５】
また、取付基盤２の孔部２１については、その形状を、引掛型配線器具Ｈの外周面に嵌合しうるように形成してもよい。これによると、棹縁天井用シーリングアダプタ１を天井と照明器具本体Ｌａとの間に挟み込む際に、予め棹縁天井用シーリングアダプタ１だけを引掛型配線器具Ｈに嵌装して仮固定することが可能になるので、アジャスタ３の高さ調節や照明器具本体Ｌａの結合作業が容易になる。この場合は、孔部２１の周縁部に軟質樹脂等からなるパッキン材を取り付けて、引掛型配線器具Ｈへの嵌合摩擦を高めるとともに、引掛型配線器具Ｈを傷つけないようにするのが好ましい。
【００３６】
【発明の効果】
本発明の棹縁天井用シーリングアダプタは、照明器具とは別体の製品として用意され、各種形状の照明器具に対して汎用的に使用しうるように構成されているので、照明器具本体を交換しても継続的に使用することができる。
【００３７】
そして、この棹縁天井用シーリングアダプタは、照明器具本体と天井との間に介在させる取付基盤に、棹縁の側面に掛止可能な棹縁掛止部と、突出高さの調節可能なアジャスタとを設けたものであるから、照明器具本体に回転力が作用した場合でも共回りが防止され、アジャスタの位置が適正に保持される。また、棹縁の断面寸法に応じてアジャスタの突出高さを調節することにより、天井に対して適正に当接させることができ、揺れやぐらつきを与える外力に対して好ましい安定性が得られる。
【図面の簡単な説明】
【図１】本発明の実施の形態にかかる棹縁天井用シーリングアダプタの全体構成を示す斜視図である。
【図２】上記棹縁天井用シーリングアダプタを使用して棹縁天井に照明器具を取り付けた状態を示す半断面図である。
【図３】上記棹縁天井用シーリングアダプタのアジャスタの構造を示す断面図である。
【図４】特許文献１に記載された技術を示す図である。
【図５】特許文献２に記載された技術を示す図である。
【図６】特許文献３に記載された技術を示す図である。
【符号の説明】
１    棹縁天井用シーリングアダプタ
２    取付基盤
２１  孔部
２２  支持ボルト
３    アジャスタ
３１  六角ナット
３２  内筒体
３３  外筒体
５    棹縁掛止部
５１  掛止片
Ｈ    引掛型配線器具
Ｌａ  照明器具本体
Ｓ    棹縁
Ｔ    天井板
【図１】
2004335219.tif 000003
【図２】
2004335219.tif 000004
【図３】
2004335219.tif 000005
【図４】
2004335219.tif 000006
【図５】
2004335219.tif 000007
【図６】
2004335219.tif 000008